(57)【要約】【課題】カラオケ歌唱を妨げることなく使用できるカラオケ用タンバリンを提供する。【解決手段】軸部により保持された複数のシンバルが揺動し、互いに接触することで発音する発音体を複数有するカラオケ用タンバリンであって、少なくとも一つの発音体が発音することで予め設定された音量となるよう、発音体の発音を禁止するための禁止手段の動作を制御する発音制御部を有するカラオケ用タンバリン。【選択図】図２
2020052175.tif 000002
【特許請求の範囲】
【請求項１】
軸部により保持された複数のシンバルが揺動し、互いに接触することで発音する発音体を複数有するカラオケ用タンバリンであって、
少なくとも一つの前記発音体が発音することで予め設定された音量となるよう、前記発音体の発音を禁止するための禁止手段の動作を制御する発音制御部を有するカラオケ用タンバリン。
【請求項２】
複数の前記発音体は、それぞれ前記シンバルの数が異なることを特徴とする請求項１記載のカラオケ用タンバリン。
【請求項３】
カラオケ装置から、ある楽曲の歌唱区間についてカラオケ演奏中であることを示す歌唱区間信号を受信した場合、前記発音制御部は、前記発音体が発音する音量が所定の音量となるよう、前記禁止手段の動作を制御することを特徴とする請求項１または２記載のカラオケ用タンバリン。
【請求項４】
軸部により保持された複数のシンバルが、互いに接触しながら揺動することで発音する発音体を複数有するカラオケ用タンバリンであって、
複数の前記発音体は、それぞれ異なる音色で発音するよう、異なる種類のシンバルにより構成され、
少なくとも一つの前記発音体が発音することで予め設定された音色となるよう、前記発音体の発音を禁止するための禁止手段の動作を制御する発音制御部を有するカラオケ用タンバリン。
【請求項５】
カラオケ装置から、ある楽曲の歌唱区間についてカラオケ演奏中であることを示す歌唱区間信号を受信した場合、前記発音制御部は、前記発音体が発音する音色が所定の音色となるよう、前記禁止手段の動作を制御することを特徴とする請求項４記載のカラオケ用タンバリン。
【請求項６】
前記禁止手段は、発音体毎に設けられることを特徴とする請求項１〜５のいずれか一つに記載のカラオケ用タンバリン。
【請求項７】
前記軸部及び前記シンバルは強磁性体により構成されており、
前記禁止手段は、前記軸部と磁気的に接続された電磁石であり、
前記発音制御部は、前記電磁石に通電することにより前記発音体の発音を禁止することを特徴とする請求項１〜６のいずれか一つに記載のカラオケ用タンバリン。
【発明の詳細な説明】
【技術分野】
【０００１】
本発明はカラオケ用タンバリンに関する。
【背景技術】
【０００２】
カラオケ歌唱の場において、タンバリンやマラカス等の楽器が使用されることがある。歌唱者のカラオケ歌唱に合わせて、聴衆（歌唱者以外の利用者）が楽器を鳴らすことにより、カラオケ歌唱の場を盛り上げることができる。
【０００３】
このような用途に適した楽器として、たとえば、振動により光るタンバリンが販売されている（非特許文献１参照）。
【先行技術文献】
【非特許文献】
【０００４】
【非特許文献１】「光るタンバリン」、カラテック株式会社、［平成３０年９月２０日検索］、インターネット、＜ＵＲＬ：https://store.shopping.yahoo.co.jp/karatec/led-008935.html?sc#i=shp#pc#search#itemlist#shsrg#img#ItemInfo＞
【発明の概要】
【発明が解決しようとする課題】
【０００５】
ところで、タンバリンのような楽器の音量は、楽器の使い方による。たとえば聴衆がカラオケ歌唱の場を盛り上げようとタンバリンを強く振った場合、音量が大きすぎて、歌唱者がカラオケ歌唱に集中できない可能性がある。
【０００６】
また、楽器は、予め決まった音色で発音する。そのため、歌唱者によっては、音色が気になってカラオケ歌唱に集中できない可能性がある。
【０００７】
本発明の目的は、カラオケ歌唱を妨げることなく使用できるカラオケ用タンバリンを提供することにある。
【課題を解決するための手段】
【０００８】
上記目的を達成するための一の発明は、軸部により保持された複数のシンバルが揺動し、互いに接触することで発音する発音体を複数有するカラオケ用タンバリンであって、少なくとも一つの前記発音体が発音することで予め設定された音量となるよう、前記発音体の発音を禁止するための禁止手段の動作を制御する発音制御部を有するカラオケ用タンバリンである。
また、上記目的を達成するための別の発明は、軸部により保持された複数のシンバルが、互いに接触しながら揺動することで発音する発音体を複数有するカラオケ用タンバリンであって、複数の前記発音体は、それぞれ異なる音色で発音するよう、異なる種類のシンバルにより構成され、少なくとも一つの前記発音体が発音することで予め設定された音色となるよう、前記発音体の発音を禁止するための禁止手段の動作を制御する発音制御部を有するカラオケ用タンバリンである。
本発明の他の特徴については、後述する明細書及び図面の記載により明らかにする。
【発明の効果】
【０００９】
本発明によれば、カラオケ歌唱を妨げることなく使用できる。
【図面の簡単な説明】
【００１０】
【図１】第１実施形態に係るカラオケ用タンバリンの外観を示す斜視図である。
【図２】第１実施形態に係るカラオケ用タンバリンの構成を示すブロック図である。
【図３】第１実施形態に係る禁止手段の制御状態を示す図である。
【図４】第２実施形態に係るカラオケ用タンバリンの構成を示すブロック図である。
【図５】第２実施形態に係る禁止手段の制御状態を示す図である。
【図６】第３実施形態に係るカラオケ用タンバリンの構成を示すブロック図である。
【図７】変形例に係るカラオケ用タンバリンの発音体を拡大した図である。
【発明を実施するための形態】
【００１１】
＜第１実施形態＞
図１〜図３を参照して、第１実施形態に係るカラオケ用タンバリンについて説明する。
【００１２】
図１に示すように、本実施形態に係るカラオケ用タンバリン１は、円弧状に湾曲したフレームＦ、直線状の把持部Ｈ、フレームＦに取り付けられた５つの発音体（発音体Ｓ１〜発音体Ｓ５）、及び操作子Ｄを有する。把持部Ｈは、カラオケ用タンバリン１の使用時に利用者が把持する部分である。利用者が把持部Ｈを把持した状態でカラオケ用タンバリン１を振ることにより、各発音体は所定の音色で発音する。本実施形態において、発音体Ｓ１〜発音体Ｓ５は、同様の構成である。
【００１３】
一の発音体は、一の軸部Ｐ、及び複数のシンバルにより構成されている。本実施形態では、四つのシンバル（シンバルＣ１〜シンバルＣ４）が設けられている。本実施形態に係る軸部Ｐ及びシンバルＣ１〜シンバルＣ４は強磁性体により構成されている。
【００１４】
軸部Ｐは、直線状の部材であり、両端がフレームＦに固定されている。軸部Ｐは、各シンバルを揺動できる状態で保持する。
【００１５】
シンバルＣ１〜Ｃ４は、揺動し、互いに接触することで発音する。シンバルは２枚で１組の構成となっている。本実施形態では、一の発音体Ｓが二組のシンバルを有する。具体的には、シンバルＣ１とシンバルＣ２が一の組を構成し、シンバルＣ３とシンバルＣ４が一の組を構成している（図１及び図２参照）。
【００１６】
操作子Ｄは、カラオケ用タンバリン１が発する音量を設定するための構成である。操作子Ｄには、音量に対応する値として「１（音量最小）」〜「５（音量最大）」の目盛りが設けられている。利用者は、操作子Ｄをいずれかの目盛りに合わせることにより、カラオケ用タンバリン１が発する音量を設定する。カラオケ用タンバリン１は、目盛りに対応する音量で発音するよう調節される（詳細は後述）。なお、操作子Ｄは、図１に示したようなアナログのダイヤル式に限らず、スライド式であってもよい。或いは、操作子Ｄはデジタル式の構成であってもよい。
【００１７】
図２に示すように、カラオケ用タンバリン１は、電磁石Ｅ１〜電磁石Ｅ５、及び制御装置Ｍを有する。電磁石Ｅ１〜電磁石Ｅ５は、フレームＦ内部の軸部Ｐの端部に配設され制御装置Ｍと電気的に接続されている。また、制御装置Ｍは、把持部Ｈの内部に配設されている。なお、把持部Ｈの内部には電磁石Ｅ１〜電磁石Ｅ５や制御装置Ｍに電力を供給する電源（図示なし）等も配設されている。
【００１８】
電磁石は、発音体の発音を禁止するための構成である。図２に示すように各電磁石は、各発音体の軸部Ｐと磁気的に接続されている。電磁石Ｅ１〜電磁石Ｅ５は、通電によりＯＦＦ状態からＯＮ状態となる。ＯＮ状態は、磁石として機能する状態であり、ＯＦＦ状態は磁石として機能しない状態である。本実施形態に係る電磁石Ｅ１〜電磁石Ｅ５は、「禁止手段」の一例である。
【００１９】
制御装置Ｍは、カラオケ用タンバリン１の各種制御を行う。図２に示すように、本実施形態に係る制御装置Ｍは、発音制御部１０として機能する。
【００２０】
発音制御部１０は、少なくとも一つの発音体が発音することで予め設定された音量となるよう、禁止手段の動作を制御する。
【００２１】
本実施形態において、発音制御部１０は、電磁石に通電することにより発音体の発音を禁止する。
【００２２】
複数の電磁石Ｅ１〜電磁石Ｅ５のうち、どの電磁石に通電するかは、テーブルデータにより予め設定されている。図３は、本実施形態における発音体Ｓ１〜発音体Ｓ５に対応する電磁石Ｅ１〜電磁石Ｅ５の制御状態（ＯＮ／ＯＦＦ状態）を示したテーブルである。
【００２３】
たとえば、操作子Ｄの目盛りが「１（音量最小）」の場合、発音制御部１０は、電磁石Ｅ１、電磁石Ｅ２、電磁石Ｅ４、及び電磁石Ｅ５に通電する。
【００２４】
発音制御部１０が電磁石に通電した場合、電磁石はＯＮ状態となる。電磁石が発生する磁力により、強磁性体である軸部Ｐは帯磁する。軸部Ｐが帯磁することにより、軸部Ｐが保持するシンバルは揺動が困難な状態となる。
【００２５】
上記のように、電磁石Ｅ１、電磁石Ｅ２、電磁石Ｅ４、及び電磁石Ｅ５に通電した場合、発音体Ｓ１、発音体Ｓ２、発音体Ｓ４、及び発音体Ｓ５の軸部Ｐが保持するシンバルは、揺動が困難な状態となる。
【００２６】
その状態でカラオケ用タンバリン１を振った場合、発音体Ｓ３のシンバルのみが揺動し、互いに接触することで発音する。このように、一の発音体のみから発音される音量は、二以上の発音体から発音される音量に比べて小さい値となる。
【００２７】
一方、操作子Ｄの目盛りが「５（音量最大）」の場合、図３のテーブルに基づいて、発音制御部１０は、全ての電磁石への通電を中止する。この場合、全ての電磁石はＯＦＦ状態となる。従って、それぞれの軸部Ｐは帯磁しないため、シンバルは揺動が容易となる。
【００２８】
その状態でカラオケ用タンバリン１を振った場合、全ての発音体のシンバルが揺動し、互いに接触することで発音する。このように、全ての発音体から発音される音量は、四以下の発音体のみから発音される音量に比べて大きい値となる。
【００２９】
このように本実施形態に係るカラオケ用タンバリン１は、軸部Ｐにより保持された複数のシンバルが揺動し、互いに接触することで発音する発音体を複数（発音体Ｓ１〜発音体Ｓ５）有する。カラオケ用タンバリン１は、少なくとも一つの発音体が発音することで予め設定された音量となるよう、発音体の発音を禁止するための禁止手段の動作を制御する発音制御部１０を有する。
【００３０】
このようなカラオケ用タンバリン１によれば、発音体が発する音量を所望の値に設定することができる。たとえば聴衆は、歌唱者に対し、どの程度の音量でカラオケ用タンバリン１を鳴らしてよいかを予め確認する。そして、聴衆が操作子Ｄを介して予め音量を設定しておくことにより、カラオケ用タンバリン１は、歌唱者が希望する音量で発音するよう調節される。よって、歌唱者は、カラオケ用タンバリン１の音を気にすることなく、カラオケ歌唱を行うことができる。すなわち、本実施形態に係るカラオケ用タンバリン１によれば、カラオケ歌唱を妨げることなく使用できる。
【００３１】
また、本実施形態に係る禁止手段は、発音体毎に設けられている。このように、一の発音体に対して一の禁止手段を設けることにより、複数の発音体の中から発音させる一の発音体を任意に設定できる。
【００３２】
また、本実施形態に係る軸部Ｐ及びシンバルＣ１〜シンバルＣ４は強磁性体により構成されており、禁止手段は、それぞれの発音体の軸部Ｐと磁気的に接続された電磁石Ｅ１〜電磁石Ｅ５である。発音制御部１０は、電磁石Ｅに通電することにより、発音体の発音を禁止する。
【００３３】
このように、電磁石に通電することにより、電磁石から発生した磁力によって軸部Ｐが帯磁し、シンバルは揺動が困難な状態となる。よって、シンバルが揺動し、互いに接触することがないため、発音体の発音を禁止できる。
【００３４】
なお、本実施形態に係るカラオケ用タンバリン１において、禁止手段は少なくとも一つの発音体に対して設けられていればよい。すなわち、禁止手段を有しない発音体があってもよい。
【００３５】
また、上記実施形態では、全ての発音体でシンバルの数が同じ例（四枚）について説明したが、これに限られない。複数の発音体は、それぞれシンバルの数が異なっていてもよい。たとえば、発音体Ｓ１は一組のシンバル（二枚）を有し、発音体Ｓ２は二組のシンバル（四枚）を有し、発音体Ｓ３は三組のシンバル（六枚）を有し、発音体Ｓ４は四組のシンバル（八枚）を有し、発音体Ｓ５は五組のシンバル（十枚）を有していてもよい。このような構成によれば、カラオケ用タンバリン１が発する音量をより細かく調節することができる。
【００３６】
＜第２実施形態＞
次に、図４及び図５を参照して、第２実施形態に係るカラオケ用タンバリンについて説明する。本実施形態では、カラオケ用タンバリン１を使用する際に、予め設定された音色で発音させる構成について説明を行う。第１実施形態と同様の構成については詳細な説明を省略する。
【００３７】
本実施形態に係る操作子Ｄは、カラオケ用タンバリン１が発する音色を設定するための構成である。タンバリンの音色は、たとえばピッチの違いにより特定できる。歌唱者や聴衆は、一般にピッチが高い場合には「音色が明るい」と感じ、ピッチが低い場合には「音色が暗い」と感じる。操作子Ｄには、カラオケ用タンバリン１が発する音色に対応する値として「１（暗い音色）」〜「５（明るい音色）」の目盛りが設けられている。
【００３８】
本実施形態に係る複数の発音体は、それぞれ異なる音色で発音するよう、異なる種類のシンバルにより構成されている。
【００３９】
シンバルの種類は、具体的に、サイズ（直径）、厚さ、材質である。これらの一つが異なる場合、シンバルが発する音色も異なる（すなわち、発音体が発する音色も異なる）。たとえば、シンバルのサイズが小さいほど、発する音のピッチが相対的に高くなる。図４に示したように、本実施形態に係るカラオケ用タンバリン１においては、発音体Ｓ１及び発音体Ｓ２のシンバルＣ１〜Ｃ４のサイズが最も小さい（たとえば２０ｍｍ）。一方、発音体Ｓ４及び発音体Ｓ５のシンバルＣ´´１〜Ｃ´´４のサイズが最も大きく（たとえば４０ｍｍ）、発音体Ｓ３のシンバルＣ´１〜Ｃ´４のサイズが中間（たとえば３０ｍｍ）の値となっている。
【００４０】
本実施形態に係るシンバルは、それぞれ強磁性体により構成されており、禁止手段は、それぞれの発音体の軸部Ｐと磁気的に接続された電磁石Ｅ１〜電磁石Ｅ５である。
【００４１】
本実施形態に係る発音制御部１０は、少なくとも一つの発音体が発音することで予め設定された音色となるよう、禁止手段の動作を制御する。
【００４２】
本実施形態において、発音制御部１０は、電磁石に通電することにより発音体の発音を禁止する。
【００４３】
複数の電磁石Ｅ１〜電磁石Ｅ５のうち、どの電磁石に通電するかは、テーブルデータにより予め設定されている。図５は、本実施形態における発音体Ｓ１〜発音体Ｓ５に対応する電磁石Ｅ１〜電磁石Ｅ５の制御状態（ＯＮ／ＯＦＦ状態）を示したテーブルである。
【００４４】
たとえば、操作子Ｄの目盛りが「１（暗い音色）」の場合、発音制御部１０は、電磁石Ｅ１、電磁石Ｅ２、及び電磁石Ｅ３に通電する。
【００４５】
発音制御部１０が電磁石に通電した場合、電磁石はＯＮ状態となる。電磁石が発生する磁力により、強磁性体である軸部Ｐは帯磁する。軸部Ｐが帯磁することにより、軸部Ｐが保持するシンバルは揺動が困難な状態となる。
【００４６】
上記のように、電磁石Ｅ１、電磁石Ｅ２、及び電磁石Ｅ３に通電した場合、高いピッチで発音する発音体Ｓ１及び発音体Ｓ２、並びに中間のピッチで発音する発音体Ｓ３の軸部Ｐが保持するシンバルは、揺動が困難な状態となる。
【００４７】
このような状態においてカラオケ用タンバリン１を振った場合、発音体Ｓ４〜発音体Ｓ５のシンバルのみが揺動し、互いに接触することで発音する。このように、低いピッチで発音する発音体の音色は、暗い音色となる。
【００４８】
一方、操作子Ｄの目盛りが「５（明るい音色）」の場合、図５のテーブルに基づいて、発音制御部１０は、電磁石Ｅ３、電磁石Ｅ４、及び電磁石Ｅ５に通電する。電磁石Ｅ３、電磁石Ｅ４、及び電磁石Ｅ５に通電した場合、中間のピッチで発音する発音体Ｓ３、並びに低いピッチで発音する発音体Ｓ４及び発音体Ｓ５の軸部Ｐが保持するシンバルは、揺動が困難な状態となる。
【００４９】
このような状態においてカラオケ用タンバリン１を振った場合、発音体Ｓ１〜発音体Ｓ２のシンバルのみが揺動し、互いに接触することで発音する。このように、高いピッチで発音する発音体の音色は、明るい音色となる。
【００５０】
このように本実施形態に係るカラオケ用タンバリン１は、軸部Ｐにより保持された複数のシンバルが揺動し、互いに接触することで発音する発音体を複数（発音体Ｓ１〜発音体Ｓ５）有する。複数の発音体は、それぞれ異なる音色で発音するよう、異なる種類のシンバルにより構成される。カラオケ用タンバリン１は、少なくとも一つの発音体が発音することで予め設定された音色となるよう、発音体の発音を禁止するための禁止手段の動作を制御する発音制御部１０を有する。
【００５１】
このようなカラオケ用タンバリン１によれば、発音体が発音する音色を所望の音色に設定することができる。たとえば聴衆は、歌唱者に対し、どのような音色でカラオケ用タンバリン１を鳴らしてよいかを予め確認する。そして、聴衆が操作子Ｄを介して予め音色を設定しておくことにより、カラオケ用タンバリン１は、歌唱者が希望する音色で発音するよう調節される。よって、歌唱者は、カラオケ用タンバリン１の音を気にすることなく、カラオケ歌唱を行うことができる。すなわち、本実施形態に係るカラオケ用タンバリン１によれば、カラオケ歌唱を妨げることなく使用できる。
【００５２】
＜第３実施形態＞
次に、図６を参照して、第３実施形態に係るカラオケ用タンバリンについて説明する。
【００５３】
歌唱者の中には、カラオケ歌唱中は極力、楽器の使用を控えて欲しいと考える者もいる。一方で、場を盛り上げるために楽器を使用している聴衆に対して楽器の使用を控えて欲しいとは言い難いこともある。そこで、本実施形態では、カラオケ歌唱中は、自動的に所定の音量や音色となるような構成について説明を行う。第１実施形態及び第２実施形態と同様の構成については詳細な説明を省略する。
【００５４】
図６に示したように、本実施形態に係るカラオケ用タンバリン１（制御装置Ｍ）は、カラオケ装置Ｋと通信可能となっている。カラオケ用タンバリン１とカラオケ装置Ｋとの通信は、一般的な近距離無線技術を利用することができる。また、カラオケ装置Ｋとカラオケ用タンバリン１とは予めペアリングされている。なお、図６の例において、各発音体は第１実施形態と同様の構成となっている。
【００５５】
たとえば、歌唱者Ｘは、カラオケ装置Ｋを利用して楽曲Ｙのカラオケ歌唱を行うとする。この場合、カラオケ装置Ｋは、楽曲Ｙの楽曲データから歌唱者が発声する歌唱区間とそれ以外の区間（非歌唱区間）を特定する。カラオケ装置Ｋは、歌唱区間のカラオケ演奏中は歌唱区間信号をカラオケ用タンバリン１に送信する。歌唱区間信号は、ある楽曲の歌唱区間についてカラオケ演奏中であることを示す信号である。
【００５６】
発音制御部１０は、カラオケ装置Ｋから送信される歌唱区間信号を受信する。この場合、発音制御部１０は、発音体が発音する音量が所定の音量となるよう、禁止手段の動作を制御する。所定の音量は、一般的な歌唱者にとってカラオケ歌唱の妨げにならない程度の値等、予め任意の値が設定されている。
【００５７】
たとえば、所定の音量として、第１実施形態の例における、操作子Ｄの目盛り「１」が示す値と同様の音量が設定されているとする。
【００５８】
ここで、カラオケ装置Ｋから歌唱区間信号を受信した場合、現時点で設定されている音量に関わらず、発音制御部１０は、電磁石Ｅ１、電磁石Ｅ２、電磁石Ｅ４、及び電磁石Ｅ５に通電する。この場合、発音体Ｓ１、発音体Ｓ２、発音体Ｓ４、及び発音体Ｓ５の軸部Ｐが保持するシンバルは、揺動が困難な状態となる。
【００５９】
このような状態においてカラオケ用タンバリン１を振った場合、聴衆が設定した音量に関わらず、発音体Ｓ３のシンバルのみが揺動し、互いに接触することで発音する。
【００６０】
その後、歌唱者Ｘのカラオケ歌唱が終了したとする。この場合、カラオケ装置Ｋは歌唱区間信号の送信を停止する。
【００６１】
所定期間、歌唱区間信号を受信しなかった場合、発音制御部１０は、聴衆が設定した音量となるよう、禁止手段の動作を制御する。
【００６２】
たとえば、聴衆が設定した音量として、第１実施形態の例における、操作子Ｄの目盛り「４」が示す値と同様の音量が設定されているとする。
【００６３】
ここで、カラオケ装置Ｋから所定期間、歌唱区間信号を受信しなかった場合、発音制御部１０は、電磁石Ｅ１、電磁石Ｅ２、電磁石Ｅ４、及び電磁石Ｅ５の通電を中止し、電磁石Ｅ３に通電する。このような状態においてカラオケ用タンバリン１を振った場合、発音体Ｓ３以外の発音体のシンバルが揺動し、互いに接触することで発音する。
【００６４】
このように、本実施形態に係る発音制御部１０は、カラオケ装置Ｋから、ある楽曲の歌唱区間についてカラオケ演奏中であることを示す歌唱区間信号を受信した場合、発音体が発音する音量が所定の音量となるよう、禁止手段の動作を制御する。
【００６５】
このようなカラオケ用タンバリン１によれば、歌唱区間のカラオケ演奏中には、聴衆の設定した音量に関わらず、所定の音量で発音する。従って、歌唱者は、カラオケ用タンバリン１の音を気にすることなく、カラオケ歌唱を行うことができる。すなわち、本実施形態に係るカラオケ用タンバリン１によれば、カラオケ歌唱を妨げることなく使用できる。
【００６６】
また、上記例と同様の処理により、発音体が発音する音色を所定の音色とすることも可能である。
【００６７】
すなわち、本実施形態に係る発音制御部１０は、カラオケ装置Ｋから、ある楽曲の歌唱区間についてカラオケ演奏中であることを示す歌唱区間信号を受信した場合、発音体が発音する音色が所定の音色となるよう、禁止手段の動作を制御する。
【００６８】
このようなカラオケ用タンバリン１によれば、歌唱区間のカラオケ演奏中には、聴衆の設定した音色に関わらず、所定の音色で発音する。従って、歌唱者は、カラオケ用タンバリン１の音を気にすることなく、カラオケ歌唱を行うことができる。すなわち、本実施形態に係るカラオケ用タンバリン１によれば、カラオケ歌唱を妨げることなく使用できる。
【００６９】
＜その他＞
なお、上記実施形態におけるフレームＦや把持部Ｈの形状は上記例に限られない。また、発音体の数は５つに限られない。
【００７０】
更に、禁止手段は電磁石に限られない。たとえば、フェルト・パッド及びアクチュエータを含む振動防止部材を、シンバルに取り付ける。振動防止部材は、「禁止手段」の一例である。
【００７１】
発音制御部１０は、アクチュエータを駆動し、フェルト・パッドをシンバルに押し付けることにより、発音体の発音を禁止する。この場合、軸部Ｐ及びシンバルは強磁性体である必要は無い。
【００７２】
また、カラオケ装置Ｋは、歌唱区間信号を送信する代わりに、歌唱区間の開始信号と終了信号を送信することでもよい。開始信号を受信した場合、発音制御部１０は、発音体が発音する音量（または音色）が所定の音量（または音色）となるよう、禁止手段の動作を制御する。一方、終了信号を受信した場合、発音制御部１０は、発音体が発音する音量（または音色）が、聴衆が設定した音量（または音色）となるよう、禁止手段の動作を制御する。このような構成によれば、楽曲の非歌唱区間においては、聴衆が設定した音量（または音色）でカラオケ用タンバリン１の使用が可能となるため、カラオケ歌唱を妨げることなく、カラオケ歌唱の場を更に盛り上げることができる。
【００７３】
また、第３実施形態に係る所定の音量は、カラオケ装置Ｋ側で都度、設定してもよい。たとえば、カラオケ装置Ｋは、歌唱者の歌唱音声を解析し、解析結果に応じて所定の音量（または音色）を決定する。カラオケ装置Ｋは、決定した所定の音量（または音色）を歌唱区間信号と併せてカラオケ用タンバリン１に送信する。カラオケ用タンバリン１の発音制御部１０は、受信した所定の音量（または音色）となるよう、禁止手段の動作を制御する。このように歌唱者の歌唱音声に基づいて所定の音量（または音色）を都度決定することにより、歌唱者毎にカラオケ歌唱の妨げにならない音量（または音色）でカラオケ用タンバリン１を使用できる。
【００７４】
更に、軸部Ｐの構成は上記例に限られない。軸部Ｐは、その一部が湾曲していてもよい。図７は、変形例に係るカラオケ用タンバリンの発音体Ｓ１を拡大した図である。ここでは、発音体Ｓ１のみを示しているが、他の発音体も同様の構成であってもよい。逆に、少なくとも一の発音体が図４に示す構成であり、他の発音体は実施形態で説明した発音体の構成であってもよい。
【００７５】
図７に示すように、本変形例における軸部Ｐは、シンバルＣ２とシンバルＣ３の間が、らせん状に形成されている。このように軸部Ｐを形成することにより、シンバルと接する軸部の表面積を大きくすることができる。従って、軸部Ｐが帯磁した場合に、より確実にシンバルの揺動を妨げることができる。なお、軸部Ｐの両端は、フレームＦに固定されている（図示なし）。
【００７６】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７７】
１  カラオケ用タンバリン
１０  発音制御部
Ｃ１〜Ｃ４、Ｃ１´〜Ｃ４´、Ｃ１´´〜Ｃ４´´  シンバル
Ｅ１〜Ｅ５  電磁石
Ｆ  フレーム
Ｈ  把持部
Ｍ  制御装置
Ｐ  軸部
Ｓ１〜Ｓ５  発音体
【図１】
2020052175.tif 000003
【図２】
2020052175.tif 000004
【図３】
2020052175.tif 000005
【図４】
2020052175.tif 000006
【図５】
2020052175.tif 000007
【図６】
2020052175.tif 000008
【図７】
2020052175.tif 000009